(57)【要約】【課題】乗り物のシートに座った姿勢で、首と頭部とを支持させて携帯用の枕として使用するミニクッションを提供する。【解決手段】乗り物のシートに座った姿勢で、首と頭部とを支持させて携帯用の枕として使用するミニクッション１１であって、ミニクッションは、空気を注入して膨らませる合成樹脂製シート体の外側に、布製のカバー１３を被せて三ヶ月状又は半円状に形成されており、布製のカバーには、一方の側部１３ａと他方の側部１３ｂとにそれぞれ帯状の紐１５、１６が縫着されており、帯状の紐のそれぞれの端部には、面ファスナー１７が設けられており、布製のカバーの両方の端部には、毛布を挿通させて係止するための輪っか状のゴム紐１８が設けられている。【選択図】図１
0003213646.tif 000002
【実用新案登録請求の範囲】
【請求項１】
乗り物のシートに座った姿勢で、首と頭部とを支持させて携帯用の枕として使用するミニクッションであって、
該ミニクッションは、空気を注入して膨らませる合成樹脂製シート体の外側に、布製のカバーを被せて三ヶ月状又は半円状に形成されており、
該布製のカバーには、一方の側部と他方の側部とにそれぞれ帯状の紐が縫着されており、
該帯状の紐のそれぞれの端部には、面ファスナーが設けられており、
前記布製のカバーの両方の端部には、毛布を挿通させて係止するための輪っか状のゴム紐が設けられていること
を特徴とするミニクッション。
【請求項２】
前記帯状の紐は、ゴム製であること
を特徴とする請求項１に記載のミニクッション。
【請求項３】
前記合成樹脂製シート体と、前記布製のカバーとの間には、ウレタンフォームのシート材が介在していること
を特徴とするミニクッション。
【考案の詳細な説明】
【技術分野】
【０００１】
本考案は、飛行機やバス等の乗り物のシートに座った姿勢で、首と頭部とを支持させて携帯用の枕として使用する他に、様々な用途に使用できるミニクッションに関するものである。
【背景技術】
【０００２】
従来、携帯用の枕としては、実用新案登録第３１８９８２９号公報に開示された構成のものが知られている。図１３に示すように、この携帯枕１は、布製のカバーで被われたコ字状の枕本体２と、枕本体２の上部に取り付けられ、布製のカバーで被われた三ヶ月状の補助枕３とから構成される（特許文献１参照）。
【０００３】
枕本体２及び補助枕３の内側には、空気を注入して袋状に膨らませる合成樹脂製のシート体（図示せず）を有し、空気を排出すれば小さく折り畳んでコンパクトに携帯することができるようになっている。
【０００４】
補助枕３には、帯状ゴム紐４が設けられており、帯状ゴム紐４の一端４ａが、補助枕３の一方の側部３ａに縫着されており、帯状ゴム紐４の他端（図１３には図示せず）が、補助枕３の他方の側部３ｂに縫着されている。
【０００５】
このような構成の携帯枕１は、補助枕３の帯状ゴム紐４を手で広げて、その内側を枕本体２の一端部２ａ又は他端部２ｂに嵌めてから、補助枕３を枕本体２の適宜の位置に引っ張って移動させてセットする。
【０００６】
そして、枕本体２の湾曲凹部５を首の後ろ側に嵌めて保持させ、頭部の後ろ側を補助枕３に支持させて、シートに座ることで快適な姿勢が得られることとなる。
【先行技術文献】
【特許文献】
【０００７】
【特許文献１】実用新案登録第３１８９８２９号公報
【考案の概要】
【考案が解決しようとする課題】
【０００８】
この従来例の携帯枕１においては、補助枕３を枕本体２にセットするときに、帯状ゴム紐４を手で広げたり、枕本体２の一端部２ａ又は他端部２ｂに嵌めたり、あるいは、補助枕３を枕本体２の適宜位置に引っ張って移動させたりする手順が必要であり、その手間が意外と面倒であるという欠点が有る。
特に、機内やバス等の狭い座席スペースにおいては、補助枕３をあちこち動かす動作が回りの迷惑につながる恐れがあるので、注意が必要である。
【０００９】
また、シートに座った状態においては、首回りや補助枕３の周辺から、足もと付近に渡って、毛布を掛けて使用することがあるが、この場合は、いつの間にか毛布が下にずり落ちてしまうという不都合を有している。
【００１０】
従って、従来例における補助枕３においては、枕本体２にセットするときにスムーズに行えるようにすることと、毛布を掛けて使用するときに、毛布が下にずり落ちないよう何らかの仕組みを付加することとに解決しなければならない課題を有している。
【課題を解決するための手段】
【００１１】
前記従来例の課題を解決するための本考案の要旨は、乗り物のシートに座った姿勢で、首と頭部とを支持させて携帯用の枕として使用するミニクッションであって、該ミニクッションは、空気を注入して膨らませる合成樹脂製シート体の外側に、布製のカバーを被せて三ヶ月状又は半円状に形成されており、該布製のカバーには、一方の側部と他方の側部とにそれぞれ帯状の紐が縫着されており、該帯状の紐のそれぞれの端部には、面ファスナーが設けられており、前記布製のカバーの両方の端部には、毛布を挿通させて係止するための輪っか状のゴム紐が設けられていることである。
【００１２】
また、前記帯状の紐は、ゴム製であること、；
前記合成樹脂製シート体と、前記布製のカバーとの間には、ウレタンフォームのシート材が介在していること、；
を含むものである。
【考案の効果】
【００１３】
本考案に係るミニクッションによれば、布製のカバーの一方の側部と他方の側部とにそれぞれ帯状の紐が縫着されており、この紐の端部には面ファスナーが設けられているので、ミニクッションを従来例の補助枕に替えて枕本体にセットする場合には、枕本体の任意の位置にミニクッションを宛がってから、２本の紐の端部を枕本体の後ろで重ね合わせて、面ファスナー同士を接合すればよい。
つまり、ミニクッションを枕本体にセットするときに、その作業がスムーズで簡単に行え、ミニクッションを左右にあちこち動かす必要がない。
また、布製のカバーの両方の端部には、毛布を挿通させて係止するための輪っか状のゴム紐が設けられていることによって、首回りに毛布を掛けて使用する場合に、毛布の端部をゴム紐に挿入して保持させれば、毛布が下にずり落ちないという種々の優れた効果を奏する。
【００１４】
帯状の紐は、ゴム製であることによって、ミニクッションを従来例の枕本体にセットしたときに、２本の帯状の紐が伸縮性を備えて枕本体に巻かれるので、セットした状態が安定してズレにくいという優れた効果を奏する。
【００１５】
合成樹脂製シート体と、布製のカバーとの間には、ウレタンフォームのシート材が介在していることによって、ミニクッションへ頭又は顔などを乗せたときに柔らかな感覚が生じて、ふんわりとした状態で使用できるという優れた効果を奏する。
【図面の簡単な説明】
【００１６】
【図１】本考案に係るミニクッション１１の正面図である。
【図２】本考案に係るミニクッション１１の背面図である。
【図３】帯状の紐１５、１６を重ねたミニクッション１１の背面図である。
【図４】合成樹脂製シート体１２と布製のカバー１３とを分離して示す説明図である。
【図５】枕本体２にミニクッション１１をセットした正面図である。
【図６】輪っか状のゴム紐１８に毛布１９を挿入た状態の説明図である。
【図７】ミニクッション１１をアームレスト２７として使用する説明図である。
【図８】ミニクッション１１を単独で使用する説明図である。
【図９】ミニクッション１１を腰当て２３として使用する説明図である。
【図１０】ミニクッション１１をリストレスト２５として使用する説明図である。
【図１１】ミニクッション１１をお昼寝用の枕２６として使用する説明図である。
【図１２】ミニクッション１１を折り畳んでコンパクトに携帯する説明図である。
【図１３】従来例に係る携帯枕１の正面図である。
【考案を実施するための形態】
【００１７】
次に、本考案の実施の形態について図面を参照しながら説明する。まず、図１から図３において、符号１１はミニクッションを示し、このミニクッション１１は、乗り物のシートに座った姿勢で首と頭部とを支持させて、携帯用の枕として使用する。
要するに、ミニクッション１１は、従来例の補助枕３に替えて枕本体２にセットして使用できるし（図５参照）、あるいは、単独で携帯用の枕として使用することもできる（図８参照）。また、それ以外にも後述するように、様々な用途に使用することができる（図７から図１２参照）。
【００１８】
また、ミニクッション１１は、空気を注入して膨らませる合成樹脂製シート体１２の外側に、布製のカバー１３を被せて三ヶ月状又は半円状に形成された構成である（図４参照）。
この場合、布製のカバー１３の背面に設けた収納口２０を押し広げて、布製のカバー１３の内部に合成樹脂製シート体１２を収納し、又は取り出すことができる（図２及び図４参照）。
【００１９】
合成樹脂製シート体１２には、図４に示すように、空気の注入及び排出口１４が設けられており、空気の注入及び排出口１４から空気を注入して、ミニクッション１１を袋状の所定の大きさに膨らます。
また、空気の注入及び排出口１４から空気を排出すれば、図１２に示すように、ミニクッション１１を折り畳んでコンパクトに携帯することができる。
【００２０】
合成樹脂製シート体１２と、布製のカバー１３との間には、図示しないウレタンフォームのシート材が介在している。従って、ミニクッション１１へ頭や顔などを乗せたときに柔らかな感覚が生じて、ふんわりとした状態で使用できる。
【００２１】
布製のカバー１３には、一方の側部１３ａに長手の帯状の紐１５が縫着している。また、他方の側部１３ｂに短手の帯状の紐１６が縫着している。
【００２２】
長手の帯状の紐１５と、短手の帯状の紐１６とのそれぞれの端部１５ａ、１６ａには、面ファスナー１７が設けられている。
このような構成のミニクッション１１を枕本体２にセットするときには、枕本体２の任意の位置にミニクッション１１を宛がってから、２本の紐の端部１５ａ、１６ａ同士を枕本体２の後ろで重ね合わせて、面ファスナー１７同士を接合すればよい（図５参照）。
つまり、ミニクッション１１を枕本体２にセットするときに、その作業がスムーズで簡単に行え、ミニクッションを左右にあちこち動かす必要がない。
【００２３】
帯状の紐１５、１６は、ゴム製であることが望ましい。この場合は、ミニクッション１１を従来例の枕本体２にセットしたときに、２本の帯状の紐１５、１６が伸縮性を備えて枕本体２に巻かれるので、セットした状態が安定してズレにくい
【００２４】
布製のカバー１３の両方の端部には、毛布を挿通させて係止するための輪っか状のゴム紐１８が設けられている。図６に示すように、首回りに毛布１９を掛けて使用する場合に、毛布１９の端部をゴム紐１８に挿入して保持させれば、毛布１９が下にずり落ちない。
【産業上の利用可能性】
【００２５】
本考案のミニクッション１１は、上述のように、従来例の補助枕３に替えて枕本体２にセットして使用できるし（図５参照）、単独で携帯用の枕として使用することもできる（図８参照）
また、それ以外にも例えば、図７に示すように、座席の硬い肘掛け２１に２本の紐１５、１６を係止してミニクッション１１を取り付ければ、柔らかいアームレスト２７として使用できる。
体の小さな人や子供２２であれば、図８に示すように、単独で携帯用の枕として使用できる。
座席や車のシートにおいては、図９に示すように、腰当て２３として使用できる。
オフィスでは、図１０に示すように、腕２８を乗せてキーボード２４用のリストレスト２５として使用できる。
図１１に示すように、紐１６、１７に腕を通して、職場でお昼寝用の枕２６として使用できる。
図１２に示すように、合成樹脂製シート体１２から空気を抜けば、ミニクッション１１を折り畳んでコンパクトに携帯することができる。
【符号の説明】
【００２６】
１    携帯枕
２    枕本体
２ａ  一端部
２ｂ  他端部
３    補助枕
３ａ  一方の側部
３ｂ  他方の側部
４    帯状ゴム紐
４ａ  一端
５    湾曲凹部
１１  ミニクッション
１２  合成樹脂製シート体
１３  布製のカバー
１３ａ一方の側部
１３ｂ他方の側部
１４  空気の注入及び排出口
１５  長手の帯状の紐
１５ａ端部
１６  短手の帯状の紐
１６ａ端部
１７  面ファスナー
１８  輪っか状のゴム紐
１９  毛布
２０  収納口
２１  座席の硬い肘掛け
２２  体の小さな人や子供
２３  腰当て
２４  キーボード
２５  リフトレスト
２６  お昼寝用の枕
２７  アームレスト
２８  腕
【図１】
0003213646.tif 000003
【図２】
0003213646.tif 000004
【図３】
0003213646.tif 000005
【図４】
0003213646.tif 000006
【図５】
0003213646.tif 000007
【図６】
0003213646.tif 000008
【図７】
0003213646.tif 000009
【図８】
0003213646.tif 000010
【図９】
0003213646.tif 000011
【図１０】
0003213646.tif 000012
【図１１】
0003213646.tif 000013
【図１２】
0003213646.tif 000014
【図１３】
0003213646.tif 000015
【手続補正書】
【提出日】平成29年9月27日(2017.9.27)
【手続補正１】
【補正対象書類名】実用新案登録請求の範囲
【補正対象項目名】請求項３
【補正方法】変更
【補正の内容】
【請求項３】
前記合成樹脂製シート体と、前記布製のカバーとの間には、ウレタンフォームのシート材が介在していること
を特徴とする請求項１に記載のミニクッション。